(57)【特許請求の範囲】
【請求項１】
底部ｃに孔ｄが設けられたポットａの開口部ｂを互いに連結して前記ポットａを縦横に複数設けたプラスチック製の可撓性の苗箱Ａを使用し、前記ポットａに床土詰め、播種、覆土し、水が存在するプ−ル２内に水不溶性銅化合物が含有された根域制限シ−ト１を敷設し、ポットａの底面がプ−ル２内の水に浸かる状態となるよう苗箱Ａをプ−ル２内の前記根域制限シ−ト１の上側に載せて育苗することを特徴とする育苗方法。
【発明の詳細な説明】
【０００１】
【発明の属する技術分野】
この発明は、ポット苗の育苗方法に関する。
【０００２】
【従来の技術及びこの発明が解決しようとする課題】
従来、ポット苗の育苗において、苗の根がポット外部に絡みつくように伸長すると育苗されたポット苗をポットから取り出すのが困難になることがある。また、ポット苗の床部がもろい状態であると、例えば棒状の苗押出具等をポット底部の孔に突っ込んでポット苗をポットから押し出すときにその押し出しが不確実になる。また、苗をポットの上側から引き抜く場合においても、ポット苗の床部がもろい状態であると、ポット底部側の床部が崩れてしまう。
【０００３】
【課題を解決するための手段】
この発明は、上記課題を解決すべく次の技術的手段を講じた。
すなわち、底部ｃに孔ｄが設けられたポットａの開口部ｂを互いに連結して前記ポットａを縦横に複数設けたプラスチック製の可撓性の苗箱Ａを使用し、前記ポットａに床土詰め、播種、覆土し、水が存在するプ−ル２内に水不溶性銅化合物が含有された根域制限シ−ト１を敷設し、ポットａの底面がプ−ル２内の水に浸かる状態となるよう苗箱Ａをプ−ル２内の前記根域制限シ−ト１の上側に載せて育苗することを特徴とする育苗方法とした。
【０００４】
【作用】
本発明の育苗方法により、底部に孔が設けられたポットの開口部を互いに連結して前記ポットを縦横に複数設けたプラスチック製の可撓性の苗箱を使用し、前記ポットに床土詰め、播種、覆土し、水が存在するプ−ル内に水不溶性銅化合物が含有された根域制限シ−トを敷設し、ポットの底面がプ−ル内の水に浸かる状態となるよう苗箱をプ−ル内の前記根域制限シ−トの上側に載せて育苗すると、プ−ル内の水は苗箱のポット底部の孔を通過し床土を介してポット内の苗の根に吸収され、ポット内の苗の根が下方に向かって伸長するが、ポットの下に根域制限シ−トが敷設されているため根がポット底部の孔からポットの外部へ伸長しにくくなる。このとき、ポット内の根は、ポットの下部で側方に向けて伸長するようになり、ポット内の下部で根が絡み合うようになる。
【０００５】
【発明の効果】
本発明の育苗方法によると、ポット苗の根をポットの外部に伸長させることを抑制して育苗でき、苗の根がポットの外部からポットに絡みつくようなことがなく苗のポットからの取り出しが容易になる。また、ポット苗の床部の下部で根が絡み合うことで床部の下部が強固となり、例えば棒状の苗押出具等をポット底部の孔に突っ込んでポット苗をポットから確実に押し出せる。また、苗をポットの上側から引き抜く場合においても、ポットの床部が崩れるようなことがない。
【０００６】
【実施例】
この発明の一実施例を図面に基づき説明する。
図１は、縦横に複数設けられたポットａ，…からなる苗箱Ａを利用して育苗する水稲苗の育苗方法を示すものであり、ポットａ，…に床土詰めされ播種、覆土された苗箱Ａが根域制限シ−ト１が敷設されたプ−ル２内に供給され育苗するものである。尚、このプ−ル内には水が存在しており、苗箱Ａのポット底面が水に浸かっている状態になっている。この状態で３０日〜４０日経過すると成苗が得られるものである。
【０００７】
前記苗箱Ａは、プラスチック製の可撓性の苗箱であり、図４，５，６，７に示されるような形状になっている。即ち、容積が３．５cm3程度の小さいポットａ，…が左右前後に所定の間隔で並び、直径１５mm程度の開口部ｂ，…が互いに連結し直径１２mmm程度の底部ｃ，…側が独立した形状に成形されている。また、苗箱Ａの長手方向に沿う左右の端縁部（イ）・（イ）には、ポットａ，…の長手方向のピッチに合わせて苗箱送り用の角孔（ロ），…が設けられている。各ポットａ，…の底部ｃ，…には、三叉状の切れ目で構成される孔ｄ，…が設けられ、このポットａ，…はポットａ，…の底部で外部と連通している構成となっている。（ハ）は左右（短手方向）中央で長手方向に向けて設けられた広間隔部である。育苗は、各ポットａ，…内に床土を詰めて播種、覆土し、育苗される。こうしてこの苗箱は各ポットａ，…毎に一株づつ育苗する構成となっている。
【０００８】
また、前記根域制限シ−ト１は、苗の根の伸長を抑制するものであり、このシ−ト１の近傍に根を伸長させないものである。具体的には、例えば特開平６−１１３６７６号公報に示されるような水不溶性銅化合物が含有されたものがある。よって、この育苗方法は、根域制限シ−ト１が敷設された水が存在するプ−ル２に床土詰め、播種、覆土された前記苗箱Ａを前記根域制限シ−トの上側に載せて育苗するものである。これにより、プ−ル内の水は苗箱Ａのポット底部の孔ｄを通過し床土を介してポット内の苗の根に吸収され、苗が成育する。また、ポットａ，…の下側に根域制限シ−ト１が存在するため、下方に向かって伸長する苗の根がポット底部の孔ｄ，…からポット外部に伸長することを抑制するので苗の根がポット外部に絡みつくことがなくなると共に、ポット内で根が伸長し床部がしっかりしたポット苗が得られる。尚、根域制限シ−ト１により発根が止まった根の中途部から枝分かれ状に生える根がポットの下部で絡み合うようになり、ポット苗の床部の下部が強固となる。
【０００９】
尚、この育苗されたポット苗は、図８に示すような乗用型の田植機３により圃場に移植することができる。この乗用型の田植機３は、走行車体４の後側に６条植えの苗植付部５が装着された構成となっている。また、走行車体４の後部には、粒状の肥料を散布する施肥装置６を配設している。
６条植えの苗植付部５は、各２条毎に設けられた苗箱搬送装置１３，１３，１３を備えており、前記苗箱搬送装置１３の上下２段の苗箱載置台１３ａ，１３ａに複数枚の苗箱が充填され、苗箱供給モ−タ１３ｂにより苗箱Ａから苗を押し出して取り出す苗押出装置１４へ適宜苗箱Ａを供給するようになっている。前記苗箱載置台１３ａ，１３ａは斜め後方向に苗箱Ａを滑らせて苗箱供給モ−タ１３ｂに供給するようになっており、苗箱底面に苗の根や土等があると苗箱Ａの搬送抵抗が大きくなることがあるが、本実施例の育苗方法により苗箱底面からの根の突出が少なくできると共にプ−ル内で育苗するため苗箱底面に土等が付着することがないので、苗箱Ａの搬送抵抗を小さくすることができる。前記苗押出装置１４は、スライド作動する苗押出しピン１４ａ，…で苗箱Ａの横一列分ずつ苗を押し出す装置である。押し出された苗は苗下降送り装置１５の苗ホルダ−１５ａ，…に保持されて弧を画くような軌跡で苗抜取位置に下降搬送され、苗抜取装置１６で横送装置１７上に抜き落され、横送装置１７により横送りされて苗植付装置１８の苗取り位置に一株づつ搬送され、苗植付装置１８により一株づつ圃場に植え付けられるようになっている。
【００１０】
本発明の育苗方法により、苗の根がポット底部の孔ｄ，…からポット外部に伸長しないため苗の根がポット外部に絡みつくようなことがなくポット内で根が伸長し床部の下部がしっかりしたポット苗が得られるので、苗押出装置１４による苗の押出し時や苗抜取装置１６による苗の抜取が確実になり、圃場へ植え付けられた苗の姿勢が安定する。
【００１１】
尚、この実施例は育苗された苗の移植機として６条植えの苗移植機について説明したが、本発明の育苗方法は６条植えの苗移植機により移植する苗の育苗方法に限定するものではない。また、苗移植機により移植する苗の育苗方法に限定するものではない。
また、苗箱Ａから苗を取り出す装置として前記苗押出装置１４を挙げたが、ポットの上側から苗を取り出す装置が考えられる。図１２、図１３に示す苗取出装置１９は、ポットａの上側（ポットａの開口部ｂ側）からポット苗の床部に突っ込まれる挾持部１９ａを備え、該挾持部１９ａでポット苗を保持した状態でポット苗をポットから取り出す装置である。本発明の育苗方法により、苗の根がポット外部に絡みつくようなことがなくポット内で根が伸長し床部の下部がしっかりしたポット苗が得られるので、前記苗取出装置１９により苗を引き抜く場合においても、ポット底部側の床部が崩れるようなことがない。また、前記苗取出装置１９はポット苗の床部を挾持してポット苗をポットから引き抜くものであるが、ポット苗の茎部を挾持してポット苗をポットから引き抜く場合も同様にポット底部側の床部が崩れることがない。
【００１２】
ところで、図１４に示す育苗方法は、プ−ル２内において、前記苗箱Ａの下に根切りネット２１、育苗シ−ト２２、根域制限シ−ト１を順に敷設し育苗するものである。前記根切りネット２１は、育苗された苗箱Ａを取り出すとき、苗箱Ａの下方に伸長した根を断つことができ苗箱Ａの取り出しを容易にするものである。前記育苗シ−ト２２は、苗の成育を促進させるものであり、肥料や保水剤が含有されたものである。この育苗方法は、苗の根を根域制限シ−ト１によりポットａの外に伸長させることを抑制しながら、ポットａの外に伸長した若干の下根ｅにより育苗シ−ト２２に含有される肥料を吸収して苗の成育が促進する。また、根切りネット２１によりポットの下に約３mmの隙間ｓができ、この隙間部の水流を円滑にすることによって、苗への酸素供給を安定させると共に育苗シ−ト２２に含有される肥料の吸収を苗株間でのバラツキを少なくして苗株間の成育を均一にする。この育苗方法により、２５日〜３５日で成苗を得ることができる。
【００１３】
また、図１５に示す育苗方法は、いぐさ苗を育苗するものである。プ−ル内においてポットａの下に根切りネット２１、根域制限シ−ト１を敷設する。これにより、ポットａの外への根の張出しを抑制し育苗終了時の苗箱Ａの取り出しを容易にすると共にポット内で根を伸長させ床部の形成を確実にすることができ、下方に根が伸長する直根性が強いいぐさ苗に有効である。尚、いぐさ苗の育苗においてポット内に種籾ｆを混入し、この種籾ｆの発根により床部形成を促進することができる。
【図面の簡単な説明】
【図１】育苗方法を示す図
【図２】育苗方法を示す一部の断面図
【図３】根域制限シ−トの有無により根の伸長状態を比較した図
（ａ）根域制限シ−ト無の状態
（ｂ）根域制限シ−ト有の状態
【図４】苗箱の平面図
【図５】苗箱の側面図
【図６】苗箱の正面図
【図７】苗箱の一部の平面図
【図８】乗用型の田植機を示す側面図
【図９】苗箱搬送装置の側面図
【図１０】ポットから苗を押し出した状態を示す断面図
【図１１】苗押出装置を示す側面図
【図１２】ポットの上側から苗を取り出す苗取出装置を示す図
【図１３】ポットの上側から苗を取り出す苗取出装置のポット苗の床部に作用した状態を示す断面図
【図１４】他の育苗方法を示す図
【図１５】いぐさ苗の育苗方法を示す図
【符号の説明】
Ａ…苗箱、ａ…ポット、ｂ…開口部、ｃ…底部、ｄ…孔、１…根域制限シ−ト、２…プ−ル
【図１】
0003624518.tif 000002
【図２】
0003624518.tif 000003
【図３】
0003624518.tif 000004
【図４】
0003624518.tif 000005
【図５】
0003624518.tif 000006
【図６】
0003624518.tif 000007
【図７】
0003624518.tif 000008
【図８】
0003624518.tif 000009
【図９】
0003624518.tif 000010
【図１０】
0003624518.tif 000011
【図１１】
0003624518.tif 000012
【図１２】
0003624518.tif 000013
【図１３】
0003624518.tif 000014
【図１４】
0003624518.tif 000015
【図１５】
0003624518.tif 000016